(57)【要約】【課題】低コストで製造でき、躊躇なく使い捨てにすることができる安価な理美容用ケープを提供する。【解決手段】薄紙の表面に樹脂によるコーティングを施した長方形状のシート材１から成り、シート材１は、一方の短辺に近接して円形状の首入穴２が穿設され、首入穴２から一方の短辺へ至るスリット３が入れられて、スリット３を挟んだ両側部分が一対の背掛部１ａになるものとする。着用者への装着に際しては、スリット３を開いて首入穴２の周縁を着用者の前方から首に沿わせ、一対の背掛部１ａの首入穴２に臨む部分同士を、別途用意した両面接着テープ５により、重ね合わせた状態で留めるものとする。【選択図】図４
0003229740.tif 000002
【実用新案登録請求の範囲】
【請求項１】
薄紙の表面に樹脂によるコーティングを施した長方形状のシート材(1)から成り、
前記シート材(1)は、一方の短辺に近接して円形状の首入穴(2)が穿設され、前記首入穴(2)から前記一方の短辺へ至るスリット(3)が入れられて、前記スリット(3)を挟んだ両側部分が一対の背掛部(1a)になるものとされ、
着用者への装着時には、前記スリット(3)を開いて前記首入穴(2)の周縁を着用者の前方から首に沿わせ、前記一対の背掛部(1a)の前記首入穴(2)に臨む部分同士を、別途用意した締結部材により、重ね合わせた状態で留める理美容用ケープ。
【請求項２】
前記締結部材として、両面接着テープ(5)が適用され、前記両面接着テープ(5)の各接着面を前記シート材(1)の一対の背掛部(1a)にそれぞれ貼り付けて、前記一対の背掛部(1a)同士を重ね合わせた状態で留めることを特徴とする請求項１に記載の理美容ケープ。
【請求項３】
前記両面接着テープ(5)は、使用前の状態では、複数個まとめて一方の接着面が剥離台紙(6)に貼り付けられ、他方の接着面にそれぞれ個別の剥離カバー紙(7)が貼り付けられており、これらがシート材(1)の添付品(4)とされていることを特徴とする請求項２に記載の理美容用ケープ。
【請求項４】
前記剥離台紙(6)には、直列配置された両面接着テープ(5)の中央部を通るようにスリット(6a)が入れられており、前記両面接着テープ(5)が剥離カバー紙(7)で覆われた状態で、前記剥離台紙(6)をそのスリット(6a)に沿って折り曲げると、前記両面接着テープ(5)が前記剥離台紙(6)から分離することを特徴とする請求項３に記載の理美容用ケープ。
【請求項５】
前記剥離カバー紙(7)には、外周から中央側へ向けてスリット(7a)が入れられており、前記剥離台紙(6)から剥がした前記両面接着テープ(5)を、前記シート材(1)の一対の背掛部(1a)の重なり合う面のいずれか一方に貼り付け、前記剥離カバー紙(7)で覆われた状態で撓ませると、前記剥離カバー紙(7)が前記両面接着テープ(5)から捲れて分離することを特徴とする請求項３又は４に記載の理美容用ケープ。
【考案の詳細な説明】
【技術分野】
【０００１】
この考案は、理容店や美容室において、カットした髪の毛等が衣服に付着しないように客が着用する理美容用ケープに関するものである。
【背景技術】
【０００２】
理容店や美容室で髪の毛をカットする際には、カットした髪の毛が衣服に付着しないように、客は椅子に腰掛けた状態でケープを着用する。このような理美容用ケープとして、下記特許文献１乃至３においては、次のようなものが提案されている。
【０００３】
特許文献１に記載された理美容用ケープは、布や紙、合成樹脂製のシート材に円形状の首入穴が穿設され、その周縁から一方の端縁へ至るスリットが入れられて、スリットを挟んだ両側部分が一対の背掛部とされ、着用者への装着時には、スリットを開いて首入穴の周縁を前方から着用者の首に沿わせ、一対の背掛部の首入穴に臨む部分同士を、当該部分に取り付けた面ファスナにより重ね合わせた状態で留めるものとされている。
【０００４】
特許文献２に記載された理美容用ケープは、概ね上記と同様であるが、シート材のスリットを挟んだ一対の背掛部の首入穴に臨む部分同士を、当該部分に取り付けたマグネットの吸着力により、重ね合わせた状態で留めるものとされている。
【０００５】
特許文献３に記載された理美容用ケープもまた、概ね上記と同様であるが、シート材のスリットを挟んだ一対の背掛部の首入穴に臨む部分同士を、当該部分に取り付けた小鉤の引っ掛けにより、重ね合わせた状態で留めるものとされている。
【先行技術文献】
【特許文献】
【０００６】
【特許文献１】登録実用新案第３１０７９５１号公報
【特許文献２】登録実用新案第３１１９５８３号公報
【特許文献３】特開２０１７−１０９０４４号公報
【考案の概要】
【考案が解決しようとする課題】
【０００７】
ところで、上記各特許文献に記載されたような理美容用ケープは、シート材の一対の背掛部の首入穴に臨む部分同士を、当該部分に取り付けた面ファスナ、マグネット、小鉤等の締結部材で留めるため、締結部材の調達や取り付け、シート材の補強等に相当なコストを要するものとなり、使い捨てではなく、使用後にシート材の表面に付着した髪の毛を払い落として、繰り返して使用することを前提としている。
【０００８】
しかしながら、シート材の表面に着用者の飛沫などが付着していた場合、付着物に感染症を引き起こす原因となるウイルスや細菌等の病原体が含まれている恐れがあり、繰り返して使用すると、衛生面での懸念があった。
【０００９】
そこで、この考案は、低コストで製造でき、躊躇なく使い捨てにすることができる安価な理美容用ケープを提供することを課題とする。
【課題を解決するための手段】
【００１０】
上記のような課題を解決するため、この考案は、薄紙の表面に樹脂によるコーティングを施した長方形状のシート材から成り、
前記シート材は、一方の短辺に近接して円形状の首入穴が穿設され、前記首入穴から前記一方の短辺へ至るスリットが入れられて、前記スリットを挟んだ両側部分が一対の背掛部になるものとされ、
着用者への装着時には、前記スリットを開いて前記首入穴の周縁を着用者の前方から首に沿わせ、前記一対の背掛部の前記首入穴に臨む部分同士を、別途用意した締結部材により、重ね合わせた状態で留める理美容用ケープを提供することとしたのである。
【００１１】
また、前記締結部材として、両面接着テープが適用され、前記両面接着テープの各接着面を前記シート材の一対の背掛部にそれぞれ貼り付けて、前記一対の背掛部同士を重ね合わせた状態で留めるものとしたのである。
【００１２】
さらに、前記両面接着テープは、使用前の状態では、複数個まとめて一方の接着面が剥離台紙に貼り付けられており、他方の接着面にそれぞれ個別の剥離カバー紙が貼り付けられ、これらがシート材の添付品とされているものとしたのである。
【００１３】
そのほか、前記剥離台紙には、直列配置された両面接着テープの中央部を通るようにスリットが入れられており、前記両面接着テープが剥離カバー紙で覆われた状態で、前記剥離台紙をそのスリットに沿って折り曲げると、前記両面接着テープが前記剥離台紙から分離するものとしたのである。
【００１４】
また、前記剥離カバー紙には、外周から中央側へ向けてスリットが入れられており、前記剥離台紙から剥がした前記両面接着テープを、前記シート材の一対の背掛部の重なり合う面のいずれか一方に貼り付け、前記剥離カバー紙で覆われた状態で撓ませると、前記剥離カバー紙が前記両面接着テープから捲れて分離するものとしたのである。
【考案の効果】
【００１５】
この考案に係る理美容用ケープでは、シート材として、薄紙の表面に樹脂によるコーティングを施したものを採用することにより、安価な薄紙を樹脂で保護して破れにくくし、薄紙にある程度の撥水性を付与したので、コストを抑制しつつ、着用者へのフィット性や機能性を維持することができる。
【００１６】
また、シート材の一対の背掛部同士を留める締結部材をシート材とは別体とし、両面接着テープを用いることにより、締結部材に要するコストも抑制したので、理容店や美容室に対して非常に安価に提供でき、理容店や美容室では、客ごとの使用後に躊躇なく廃棄して、感染症の予防を図ることができる。
【図面の簡単な説明】
【００１７】
【図１】この考案の実施形態に係る理美容用ケープのシート材を示す平面図
【図２】同上の両面接着テープが保持された（２Ａ）添付品の平面図、（２Ｂ）（２Ａ）のＢ−Ｂ断面図
【図３】同上の理美容用ケープの使用状態を着用者の正面側から示す斜視図
【図４】同上の使用状態を着用者の背面側から示す斜視図
【図５】同上の両面接着テープを剥離台紙から剥がす過程を示す斜視図
【図６】同上の両面接着テープによりシート材の背掛部同士を留める過程を示す図
【考案を実施するための形態】
【００１８】
以下、この考案の実施形態を添付図面に基づいて説明する。
【００１９】
図１に示すように、この考案に係る理美容用ケープのシート材１は、外周の輪郭が長方形とされ、その素材には、薄紙の表面にポリエチレン等の樹脂によるコーティングを施したものが使用されている。このコーティングにより、薄紙は補強されて破れにくくなり、ある程度の撥水性が付与される。
【００２０】
このシート材１には、一方の短辺に近接して幅方向の中央部に円形状の首入穴２が穿設され、首入穴２から一方の短辺へ至るスリット３が入れられて、シート材１のスリット３を挟んだ両側部分は、一対の背掛部１ａとされている。
【００２１】
このようなシート材１は、４０枚程度まとめられ、図２に示す添付品４とともに、ポリエチレン等から成る袋に詰められて、理容店や美容室に販売される。
【００２２】
添付品４は、円形の輪郭を有する両面接着テープ５が複数個まとめられ、その一方の接着面が剥離台紙６に貼り付けられるとともに、他方の接着面にそれぞれ円形の輪郭を有する個別の剥離カバー紙７が貼り付けられたものとされている。
【００２３】
添付品４において、剥離台紙６には、直列配置された両面接着テープ５の中央部を通るようにスリット６ａが入れられ、それぞれの剥離カバー紙７には、外周から中央側へ向けてスリット７ａが入れられている。スリット７ａは、加工の都合上、両面接着テープ５まで貫通している。
【００２４】
剥離台紙６及び剥離カバー紙７は、両面接着テープ５よりも硬く、それぞれスリット６ａ，７ａ以外の部分では、曲がりにくいものとなっている。
【００２５】
上記のような理美容用ケープは、理容店や美容室において髪の毛のカット等を行う際、図３及び図４に示すように、椅子に腰掛けた客に装着される。
【００２６】
このとき、シート材１のスリット３を開いて、首入穴２の周縁を着用者の前方から首に沿わせ、一対の背掛部１ａの首入穴２に臨む部分同士を、締結部材である両面接着テープ５により、重ね合わせた状態で留める。
【００２７】
両面接着テープ５の貼り付けに際しては、図５に示すように、添付品４の剥離台紙６をスリット６ａに沿って折り曲げると、一列に並んだ両面接着テープ５がスリット６ａを軸に半分だけ剥離台紙６から剥がれて浮き上がるので、そのうちの１個の両面接着テープ５を、剥離カバー紙７で覆われた状態のまま剥離台紙６から剥がし取る。
【００２８】
そして、図６（Ｉ）に示すように、両面接着テープ５の露出した一方の接着面を、シート材１の一方の背掛部１ａの薄紙が露出した裏面に貼り付ける。
【００２９】
次に、図６（II）に示すように、両面接着テープ５を、貼り付けられているシート材１の背掛部１ａとともに、剥離カバー紙７で覆われた状態で撓ませると、剥離カバー紙７がスリット７ａを始端として両面接着テープ５の他方の接着面から捲れるように分離するので、剥離カバー紙７を容易に除去することができる。
【００３０】
その後、図６（III）に示すように、シート材１の一対の背掛部１ａを重ね合わせ、両面接着テープ５の接着面を他方の背掛部１ａの樹脂コーティングされた表面に貼り付けると、シート材１の一対の背掛部１ａ同士が両面接着テープ５を介して重なった状態で貼り合わされ、図３及び図４に示すように、シート材１の着用者への装着が完了する。
【００３１】
このように、着用者の首から下の部分をシート材１で覆い、シート材１の首入穴２の周縁を着用者の首の周囲に沿わせることにより、カットした髪の毛が着用者の衣服に付着することが防がれる。また、洗髪を行う際にも、着用者の衣服が濡れることが防がれる。
【００３２】
また、シート材１の一対の背掛部１ａ同士を貼り合わせた両面接着テープ５は、一方の背掛部１ａの薄紙が露出した裏面には比較的強く接着され、他方の背掛部１ａの樹脂コーティングされた表面には比較的弱く接着されているので、一対の背掛部１ａの貼合部分を引き離すと、両面接着テープ５は、薄紙が露出した一方の背掛部１ａに貼り付いたまま、樹脂コーティングされた他方の背掛部１ａの表面から剥がれる。
【００３３】
このため、シート材１の他方の背掛部１ａの表面から剥がれた両面接着テープ５には、接着力が残存した状態となり、再度一対の背掛部１ａ同士を貼り合わせることができるので、髪の毛のカット時にこのケープを使用し、パーマやヘアダイ等の施術時には、厚手の他のケープに取り換えた後、同じ着用者に再度このケープを使用することができる。
【００３４】
上記のように、この考案に係る理美容用ケープでは、シート材１として、薄紙の表面に樹脂によるコーティングを施したものを採用することにより、安価な薄紙を樹脂で保護して破れにくくし、薄紙にある程度の撥水性を付与したので、コストを抑制しつつ、着用者へのフィット性や機能性を維持することができる。
【００３５】
また、シート材１の一対の背掛部１ａ同士を留める締結部材として、シート材１とは別体の両面接着テープ５を用いることにより、締結部材に要するコストも抑制したので、理容店や美容室に対して非常に安価に提供でき、理容店や美容室では、客ごとの使用後に躊躇なく廃棄して、感染症の予防を図ることができる。
【符号の説明】
【００３６】
１  シート材
１ａ  背掛部
２  首入穴
３  スリット
４  添付品
５  両面接着テープ
６  剥離台紙
６ａ  スリット
７  剥離カバー紙
７ａ  スリット
【図１】
0003229740.tif 000003
【図２】
0003229740.tif 000004
【図３】
0003229740.tif 000005
【図４】
0003229740.tif 000006
【図５】
0003229740.tif 000007
【図６】
0003229740.tif 000008